(57)【特許請求の範囲】
【請求項１】
底面が開放された箱形であり、送風機を収容する本体と、
温度センサーを収容する一面が開口した箱部と、前記開口の周囲に張り出す平面部と、該平面部の周縁に形成された壁と、前記平面部の一端に設けられた舌部とを備えたセンサーケースと、
他の換気扇が接続される電源出力端子台と、前記温度センサーの測定結果に基づいて前記電源出力端子台に接続された前記他の換気扇への電源供給を制御する制御回路とを備え、前記本体内に設置された制御回路ボックスとを有し、
前記センサーケースは、前記制御回路ボックスの縁よりも外側に前記舌部が配置された状態で前記制御回路ボックスの天面の外側に固定されており、前記本体の天面に設けられた穴を通じて、前記本体の外側に突出していることを特徴とする換気扇。
【請求項２】
前記温度センサーは、前記センサーケースの天面寄りに固定されて設置されていることを特徴とする請求項１に記載の換気扇。
【請求項３】
前記本体は、前記制御回路ボックスと前記送風機が発生させる気流の風路とを隔てる仕切り板を内部に備えることを特徴とする請求項１又は２に記載の換気扇。
【発明の詳細な説明】
【技術分野】
【０００１】
本発明は、外気の状態を測定できる換気扇に関する。
【背景技術】
【０００２】
センサー付換気扇には、特許文献１にあるように本体内部にセンサーが設置されたものがある。
【先行技術文献】
【特許文献】
【０００３】
【特許文献１】特許第４６７５６８３号公報
【発明の概要】
【発明が解決しようとする課題】
【０００４】
住宅の必要換気量は、外気状態によって変わるが、換気量を制御するためには、外気温度を検知する必要がある。
【０００５】
換気扇本体内部の雰囲気は室内の温湿度雰囲気に近いため、特許文献１に開示される発明のように、換気扇本体内部にセンサーを設けても、小屋裏の温度検知ができなかった。
【０００６】
一方、換気扇とは別にセンサを設置して外気を直接検知すると、換気扇と接続する信号線が必要になるため設置の手間及びコストがかかる。
【０００７】
本発明は、上記に鑑みてなされたものであって、小屋裏の温度を測定できる換気扇を得ることを目的とする。
【課題を解決するための手段】
【０００８】
上述した課題を解決し、目的を達成するために、本発明は、送風機を収容する本体と、温度センサーを収容したセンサーケースと、他の換気扇が接続される電源出力端子台と、温度センサーの測定結果に基づいて電源出力端子台に接続された他の換気扇への電源供給を制御する制御回路とを備え、本体内に設置された制御回路ボックスとを有する。センサーケースは、制御回路ボックスの天面の外側に固定されており、本体の天面に設けられた穴を通じて、本体の外側に突出している。
【発明の効果】
【０００９】
本発明によれば、小屋裏の温度を測定できる換気扇を得られるという効果を奏する。
【図面の簡単な説明】
【００１０】
【図１】本発明の実施の形態１に係る換気扇であるダクト用換気扇の構成を示す斜視図
【図２】本発明の実施の形態１に係る換気扇であるダクト用換気扇の構成を示す斜視図
【図３】実施の形態１に係るダクト用換気扇の断面図
【図４】実施の形態１に係るダクト用換気扇が備える制御回路ボックスの斜視図
【図５】実施の形態１に係るダクト用換気扇が備える制御回路ボックスの斜視図
【図６】実施の形態１に係るダクト用換気扇が備える制御回路ボックスの斜視図
【図７】実施の形態１に係るダクト用換気扇が備えるセンサーケースの下面図
【図８】実施の形態１に係るダクト用換気扇が備えるセンサーケースの側面図
【図９】実施の形態１に係るダクト用換気扇の下面図
【発明を実施するための形態】
【００１１】
以下に、本発明の実施の形態に係る換気扇を図面に基づいて詳細に説明する。なお、この実施の形態によりこの発明が限定されるものではない。
【００１２】
実施の形態１．
図１及び図２は、本発明の実施の形態１に係る換気扇であるダクト用換気扇の構成を示す斜視図である。なお、図２は、図１中の矢印ＩＩ側から見た状態を示している。図３は、実施の形態１に係るダクト用換気扇の断面図である。図４、図５及び図６は、実施の形態１に係るダクト用換気扇が備える制御回路ボックスの斜視図である。なお、図５は、図４中の矢印Ｖ側から見た状態を示しており、図６は、図４中の矢印ＶＩ側から見た状態を示している。図７は、実施の形態１に係るダクト用換気扇が備えるセンサーケースの下面図である。図８は、実施の形態１に係るダクト用換気扇が備えるセンサーケースの側面図である。図９は、実施の形態１に係るダクト用換気扇の下面図である。
【００１３】
図１及び図２に示すように、実施の形態１に係るダクト用換気扇１００は、天井に開口を設け室内外を連通させるダクト２４に室内側からダクト接続枠２１を挿入して室内の空気を換気する換気扇である。
【００１４】
図３に示すように、ダクト用換気扇１００は、換気する空気を流通させる換気駆動体である多翼式送風機１０と、多翼式送風機１０を収納するファンケーシング１１とを有している。多翼式送風機１０は、モーター１２と、モーター１２の駆動軸に差込結合されたファン１３とから構成されている。ダクト用換気扇１００は、多翼式送風機１０を収容する本体であるボディ２０とボディ２０の側部に設けられボディ２０の側面から直角方向に延び吐出口２３をダクト２４に連通する位置まで延長するダクト接続枠２１を有する。なお、ここでは多翼式送風機１０を用いた構成を例にしているが、多翼式ではない送風機を用いることもできる。ボディ２０は、底面が開放された箱形である。
【００１５】
ダクト用換気扇１００は、ファンケーシング１１といった内部部品が見えて見栄えが悪くなることを防ぐために、内部部品を遮蔽する意匠部品である化粧グリル３０を備える。
【００１６】
ダクト接続枠２１の外形は、径の異なる段状に形成している。これは、配管するダクト２４の径が異なっても対応できるようにすることとテーピングのような作業の作業性を考慮しているためである。ダクト接続枠２１内には、風圧にて開閉するシャッター２２が設けられている。シャッター２２はダクト用換気扇１００の運転時には風圧で開き、停止時にはシャッター２２の自重でダクト接続枠２１を閉鎖する。シャッター２２を設けることで、ダクト用換気扇１００の停止時に屋外からの外風が室内に侵入するのを防止することができる。ダクト２４は、屋外まで延びており建物の屋外外壁に備えたフードと連結し、住宅内の空気を換気する換気風路を形成している。
【００１７】
ダクト用換気扇１００は、外部電源電線を接続する入力端子台４１と外部換気扇に給電するための電源出力端子台４２と外部換気扇を制御する制御回路基板４８とを一体とした制御回路ボックス４０を本体内部に備える。
【００１８】
図７及び図８に示す温度センサー５６は、図４に示す制御回路基板４８と器内電線により接続され、後述する温度センサー５６を保護するためのセンサーケース５０とともに制御回路ボックス４０の上に設置される。温度センサー５６と制御回路基板４８とを電気的に接続する器内電線は制御回路ボックス４０を貫通し接続されており、制御回路ボックス４０の貫通穴４７には制御回路ボックス４０内部への埃及び水浸入防止のためゴムブッシュ４３が設けられる。センサーケース５０はボディ２０の天面に設けられた穴である開口２５を通じてボディ２０の裏側に突出する。ボディ２０の裏側は小屋裏であるため、温度センサー５６は小屋裏の温度を検知できる。温度センサー５６は小屋裏の温度を検知し、制御回路基板４８に形成された制御回路４９は、温度センサー５６が測定した温度を基に電源出力用端子に電源出力を行う制御をする。
【００１９】
図１、図２及び図３に示すように、ボディ２０は、一面を開口した箱形で、開口面とは逆の面である天面側にモーター１２を備えている。ボディ２０の側面一方には吐出口２３を備えており、吐出口２３にはダクト接続枠２１が接続される。ファンケーシング１１は、多翼式送風機１０を収納するとともに下面が開放されて吸込口１５が形成されている。入力端子台４１とモーター１２とは器内電線により電気的に接続されており、外部電源電線より印加された電気が入力端子台４１を介し器内電線からモーター１２に流れる。モーター１２に電気が流れることで電気エネルギーをモーター１２のシャフトの回転運動に変換し回転運動をファン１３に伝えることでファン１３が回転し空気の流れを形成する。ファンケーシング１１は、吸込口１５から吸われた空気が、多翼式送風機１０によってファンケーシング１１の内壁に沿って排気口に至る排気風路を形成している。モーター１２と入力端子台４１とを接続する器内電線は制御回路ボックス４０を貫通し接続されている。
【００２０】
図４、図５及び図６に示すように、制御回路ボックス４０は、隣り合う二面を開口した金属製の箱４４と、開口の一面を塞ぐための金属製の板４５と、端子台の表示と制御回路基板４８を隠すための樹脂製の意匠部品４６とを備える。制御回路ボックス４０内部には制御回路基板４８が搭載される。制御回路基板４８には入力端子台４１及び電源出力端子台４２が固定される他、センサー接続用のコネクター及びモーター接続用コネクターが備えられており、電源電線、センサー器内電線、モーター器内電線及び外部換気扇接続電線を接続し、モーター１２への電源供給と外部換気扇の運転制御とを行う。すなわち、制御回路基板４８には、温度センサー５６の測定結果に基づいて電源出力端子台４２を通じての電源供給を制御する制御回路４９が設けられている。制御回路４９は、電源出力端子台４２に接続された他の換気扇への電源供給を、温度センサー５６の測定結果に基づいて制御する。制御回路ボックス４０は、ボディ２０内、具体的にはファンケーシング１１の横に設置され、端子台はボディ２０の開口面側に設置され、ダクト用換気扇１００の設置後、ダクト用換気扇１００のメンテナンス時に室内側から電源電線、外部換気扇接続電線を挿抜できるように配置される。
【００２１】
図７及び図８に示すように、センサーケース５０は、一面を開口した箱部５１と開口から水平に広がる平面部５２とからなる概略形状である。センサーケース５０は、制御回路ボックス４０の天面の外側に固定されている。平面部５２は、センサーケース５０の上から水が掛かった場合に制御回路ボックス４０内に水が浸入しないように水を受けて制御回路ボックス４０の外へ水を誘導する。温度センサー５６及びセンサー基板５７は、箱部５１内部の天面に配置される。センサーケース５０の側面には温度センサー５６を小屋裏空気に触れさせるためのスリット５３が空いている。スリット５３を箱部５１の側面に配置し、温度センサー５６及びセンサー基板５７を箱部５１の天面に固定することで、温度センサー５６及びセンサー基板５７を水及び埃から守ることができる。すなわち、温度センサー５６及びセンサー基板５７をセンサーケース５０の天面寄りに配置することで、温度センサー５６及びセンサー基板５７を水及び埃から守ることができる。平面部５２の外周には、ボディ２０の天面の開口２５を囲む壁５４が設けられている。また、平面部５２の一端には、平面部５２上の水を制御回路ボックス４０の外へ誘導する舌部５５が設けられている。舌部５５は制御回路ボックス４０の縁よりも若干外側に配されており、平面部５２の水は、この舌部５５により、制御回路ボックス４０の壁を伝って下降することで、制御回路ボックス４０の中への水の侵入を防げる。
【００２２】
センサーケース５０は、ボディ２０の天面に設けられた開口２５を通じて、ボディ２０の外側に突出している。従って、センサーケース５０は、ボディ２０の天面の上に配置されている。なお、ボディ２０の天面から突出するのは、箱部５１の部分のみであり、平面部５２はボディ２０の内部にとどまる。
【００２３】
ボディ２０の内部はダクト用換気扇１００の風路となるが、制御回路ボックス４０はボディ２０の内部に設置される。風路上には埃が多いため、制御回路ボックス４０が風路上に設置されるのは好ましくない。そのため、図９に示すように、多翼式送風機１０が発生させる気流の風路と制御回路ボックス４０とを隔てる仕切り板６０がボディ２０内部に設けられている。
【００２４】
仕切り板６０はファンケーシング１１の外周に沿ったＬ字型をしており、ファンケーシング１１の外周部に固定される。制御回路ボックス４０は仕切り板６０とボディ２０の側面とで構成される風路外のスペースに配置される。
【００２５】
実施の形態１に係るダクト用換気扇１００は、センサーケース５０を制御回路ボックス４０の上に設置し、ボディ２０の天面に設けられた開口２５を通じて、ボディ２０の天面の上に突出させたため、温度センサー５６で小屋裏の温度を測定できる。このため、制御回路４９は、温度センサー５６の測定結果に基づいて電源出力端子台４２に接続された他の換気扇への電源供給を制御できる。
【００２６】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００２７】
１０  多翼式送風機、１１  ファンケーシング、１２  モーター、１３  ファン、１５  吸込口、２０  ボディ、２１  ダクト接続枠、２２  シャッター、２３  吐出口、２４  ダクト、２５  開口、３０  化粧グリル、４０  制御回路ボックス、４１  入力端子台、４２  電源出力端子台、４３  ゴムブッシュ、４４  箱、４５  板、４６  意匠部品、４７  貫通穴、４８  制御回路基板、４９  制御回路、５０  センサーケース、５１  箱部、５２  平面部、５３  スリット、５４  壁、５５  舌部、５６  温度センサー、５７  センサー基板、６０  仕切り板、１００  ダクト用換気扇。
【図１】
0006482408.tif 000002
【図２】
0006482408.tif 000003
【図３】
0006482408.tif 000004
【図４】
0006482408.tif 000005
【図５】
0006482408.tif 000006
【図６】
0006482408.tif 000007
【図７】
0006482408.tif 000008
【図８】
0006482408.tif 000009
【図９】
0006482408.tif 000010